【手続補正書】
【提出日】平成27年2月5日(2015.2.5)
【手続補正１】
【補正対象書類名】特許請求の範囲
【補正対象項目名】全文
【補正方法】変更
【補正の内容】
【特許請求の範囲】
【請求項１】
ビデオデータを受信する方法であって、
ビデオシーケンスの第１の表現と前記ビデオシーケンスの第２の表現との間で切り替えるための遅延を示す遅延値を受信することと、
ストリーミングネットワークプロトコルに従ってビデオシーケンスの前記第１の表現からのデータを要求することと、
前記第１の表現から前記第２の表現に切り替えることを決定したことに応答して、前記遅延値に基づいて前記第１の表現からのあるデータ量をバッファすることと、
前記第１の表現からの前記データ量をバッファした後に、前記ストリーミングネットワークプロトコルに従って前記ビデオシーケンスの第２の表現からのデータを要求することと、
前記第１の表現の前記データを要求するより前に前記第１の表現の初期化セグメントを要求することと、を備え、
前記第２の表現からの前記データを要求することが、前記第２の表現の初期化セグメントを要求することなしに前記第２の表現からの前記データを要求することを備える、方法。
【請求項２】
ネットワーク状態の変化を検出することと、
前記ネットワーク状態の前記変化に基づいて、前記第１の表現から前記第２のネットワーク表現に切り替えることを決定することと
をさらに備える、請求項１に記載の方法。
【請求項３】
前記第１の表現と前記第２の表現とが時間的に整合されているかどうかを示す情報を受信することと、
前記情報に基づいて前記第２の表現のランダムアクセスポイントを選択することとをさらに備える、請求項１に記載の方法。
【請求項４】
ビデオデータを受信する方法であって、
ビデオシーケンスの第１の表現と前記ビデオシーケンスの第２の表現との間で切り替えるための遅延を示す遅延値を受信することと、
ストリーミングネットワークプロトコルに従ってビデオシーケンスの前記第１の表現からのデータを要求することと、
前記第１の表現から前記第２の表現に切り替えることを決定したことに応答して、前記遅延値に基づいて前記第１の表現からのあるデータ量をバッファすることと、
前記第１の表現からの前記データ量をバッファした後に、前記ストリーミングネットワークプロトコルに従って前記ビデオシーケンスの第２の表現からのデータを要求することと、
前記第１の表現と前記第２の表現とが時間的に整合されているかどうかを示す情報を受信することと、
前記情報に基づいて前記第２の表現のランダムアクセスポイントを選択することを備え、
前記第１の表現と前記第２の表現とが時間的に整合されているとき、前記ランダムアクセスポイントを選択することが、
前記第１の表現の前記バッファされたデータのサンプルのプレゼンテーション時間値の後にくる最も早いプレゼンテーション時間値を有する前記第１の表現の第１のランダムアクセスポイントの位置を特定することと、
前記第１のランダムアクセスポイントと同じ前記プレゼンテーション時間値を有する前記第２の表現の第２のランダムアクセスポイントを選択することとを備え、
前記第２の表現からの前記データを要求することが、前記第２のランダムアクセスポイントを備える、前記第２の表現のフラグメントを要求することを備える、方法。
【請求項５】
ビデオデータを受信する方法であって、
ビデオシーケンスの第１の表現と前記ビデオシーケンスの第２の表現との間で切り替えるための遅延を示す遅延値を受信することと、
ストリーミングネットワークプロトコルに従ってビデオシーケンスの前記第１の表現からのデータを要求することと、
前記第１の表現から前記第２の表現に切り替えることを決定したことに応答して、前記遅延値に基づいて前記第１の表現からのあるデータ量をバッファすることと、
前記第１の表現からの前記データ量をバッファした後に、前記ストリーミングネットワークプロトコルに従って前記ビデオシーケンスの第２の表現からのデータを要求することと、
前記第１の表現と前記第２の表現とが時間的に整合されているかどうかを示す情報を受信することと、
前記情報に基づいて前記第２の表現のランダムアクセスポイントを選択することを備え、
前記第１の表現と前記第２の表現とが時間的に整合されていないとき、前記方法は、
前記第１の表現の前記バッファされたデータの少なくとも１つのサンプルのプレゼンテーション時間値よりも後のプレゼンテーション時間値を有する前記第２の表現のランダムアクセスポイントを選択することを備え、
前記データ量をバッファすることが、前記選択されたランダムアクセスポイントの前記プレゼンテーション時間値よりも前の開始プレゼンテーション時間値と、前記選択されたランダムアクセスポイントの前記プレゼンテーション時間値よりも後の終了プレゼンテーション時間値とを有する第１のフラグメントまでの前記第１の表現のデータを要求及び記憶することを備え、
前記第２の表現からのデータを要求することが、前記選択されたランダムアクセスポイントを備える前記第２の表現の第２のフラグメントにおいて開始する前記第２の表現のデータを要求することを備える、方法。
【請求項６】
前記第１のフラグメントのピクチャグループに達するまでの前記第１の表現の前記データを復号することと、
前記第１のフラグメントの前記ピクチャグループに達した後に、前記選択されたランダムアクセスポイントにおいて開始する前記第２の表現の前記データを復号することとをさらに備え、前記ピクチャグループが、前記選択されたランダムアクセスポイントのプレゼンテーション時間値よりも前の開始プレゼンテーション時間値と、前記選択されたランダムアクセスポイントの前記プレゼンテーション時間値よりも後の終了プレゼンテーション時間値とを有する第１のピクチャを備える、請求項５に記載の方法。
【請求項７】
ビデオデータを受信するための装置であって、ビデオシーケンスの第１の表現と前記ビデオシーケンスの第２の表現との間で切り替えるための遅延を示す遅延値を受信することと、ストリーミングネットワークプロトコルに従ってビデオシーケンスの前記第１の表現からのデータを要求することと、前記第１の表現から前記第２の表現に切り替えることを決定したことに応答して、前記遅延値に基づいて前記第１の表現からのある量のデータをバッファすることと、前記第１の表現からの前記量のデータをバッファした後に、前記ストリーミングネットワークプロトコルに従って前記ビデオシーケンスの第２の表現からのデータを要求することとを行うように構成されたプロセッサを備え、
前記プロセッサが、前記第１の表現の前記データを要求するより前に前記第１の表現の初期化セグメントを要求するように構成され、前記プロセッサが、前記第２の表現の初期化セグメントを要求することなしに前記第２の表現からの前記データを要求するように構成された、装置。
【請求項８】
前記プロセッサが、ネットワーク状態の変化を検出することと、前記ネットワーク状態の前記変化に基づいて、前記第１の表現から前記第２のネットワーク表現に切り替えることを決定することとを行うように構成された、請求項７に記載の装置。
【請求項９】
前記プロセッサが、前記第１の表現と前記第２の表現とが時間的に整合されているかどうかを示す情報を受信することと、前記情報に基づいて前記第２の表現のランダムアクセスポイントを選択することとを行うように構成された、請求項７に記載の装置。
【請求項１０】
ビデオデータを受信する装置であって、
ビデオシーケンスの第１の表現と前記ビデオシーケンスの第２の表現との間で切り替えるための遅延を示す遅延値を受信することと、
ストリーミングネットワークプロトコルに従ってビデオシーケンスの前記第１の表現からのデータを要求することと、
前記第１の表現から前記第２の表現に切り替えることを決定したことに応答して、前記遅延値に基づいて前記第１の表現からのあるデータ量をバッファすることと、
前記第１の表現からの前記データ量をバッファした後に、前記ストリーミングネットワークプロトコルに従って前記ビデオシーケンスの第２の表現からのデータを要求することと、
前記第１の表現と前記第２の表現とが時間的に整合されているかどうかを示す情報を受信することと、
前記情報に基づいて前記第２の表現のランダムアクセスポイントを選択することを行うように構成されたプロセッサを備え、
前記第１の表現と前記第２の表現とが時間的に整合しているとき、前記ランダムアクセスポイントを選択するために、前記プロセッサが、前記第１の表現の前記バッファされたデータのサンプルのプレゼンテーション時間値の後にくる最も早いプレゼンテーション時間値を有する前記第１の表現の第１のランダムアクセスポイントの位置を特定することと、前記第１のランダムアクセスポイントと同じ前記プレゼンテーション時間値を有する前記第２の表現の第２のランダムアクセスポイントを選択することとを行うように構成され、前記第２の表現からの前記データを要求するために、前記プロセッサが、前記第２のランダムアクセスポイントを備える、前記第２の表現のフラグメントを要求するように構成された、装置。
【請求項１１】
ビデオデータを受信する装置であって、
ビデオシーケンスの第１の表現と前記ビデオシーケンスの第２の表現との間で切り替えるための遅延を示す遅延値を受信することと、
ストリーミングネットワークプロトコルに従ってビデオシーケンスの前記第１の表現からのデータを要求することと、
前記第１の表現から前記第２の表現に切り替えることを決定したことに応答して、前記遅延値に基づいて前記第１の表現からのあるデータ量をバッファすることと、
前記第１の表現からの前記データ量をバッファした後に、前記ストリーミングネットワークプロトコルに従って前記ビデオシーケンスの第２の表現からのデータを要求することと、
前記第１の表現と前記第２の表現とが時間的に整合されているかどうかを示す情報を受信することと、
前記情報に基づいて前記第２の表現のランダムアクセスポイントを選択することを行うように構成されたプロセッサを備え、
前記プロセッサは、前記第１の表現と前記第２の表現とが時間的に整合されていないとき、前記第１の表現の前記バッファされたデータの少なくとも１つのサンプルのプレゼンテーション時間値よりも後のプレゼンテーション時間値を有する前記第２の表現のランダムアクセスポイントを選択するように構成され、前記データ量をバッファするために、前記プロセッサが、前記選択されたランダムアクセスポイントの前記プレゼンテーション時間値よりも前の開始プレゼンテーション時間値と、前記選択されたランダムアクセスポイントの前記プレゼンテーション時間値よりも後の終了プレゼンテーション時間値とを有する第１のフラグメントまでの前記第１の表現のデータを要求し、記憶するように構成され、前記第２の表現からのデータを要求するために、前記プロセッサが、前記選択されたランダムアクセスポイントを備える前記第２の表現の第２のフラグメントにおいて開始する前記第２の表現のデータを要求するように構成された、装置。
【請求項１２】
前記第１のフラグメントのピクチャグループに達するまでの前記第１の表現の前記データを復号することと、前記第１のフラグメントの前記ピクチャグループに達した後に、前記選択されたランダムアクセスポイントにおいて開始する前記第２の表現の前記データを復号することとを行うように構成され、前記ピクチャグループが、前記選択されたランダムアクセスポイントのプレゼンテーション時間値よりも前の開始プレゼンテーション時間値と、前記選択されたランダムアクセスポイントの前記プレゼンテーション時間値よりも後の終了プレゼンテーション時間値とを有する第１のピクチャを備える、ビデオデコーダをさらに備える、請求項１１に記載の装置。
【請求項１３】
前記装置が、
集積回路と、
マイクロプロセッサと、
前記プロセッサを含むワイヤレス通信機器と
のうちの少なくとも１つを備える、請求項７に記載の装置。
【請求項１４】
ビデオデータを受信するための装置であって、
ビデオシーケンスの第１の表現と前記ビデオシーケンスの第２の表現との間で切り替えるための遅延を示す遅延値を受信するための手段と、
ストリーミングネットワークプロトコルに従ってビデオシーケンスの前記第１の表現からのデータを要求するための手段と、
前記第１の表現から前記第２の表現に切り替えることを決定したことに応答して、前記遅延値に基づいて前記第１の表現からのあるデータ量をバッファするための手段と、
前記第１の表現からの前記データ量をバッファした後に、前記ストリーミングネットワークプロトコルに従って前記ビデオシーケンスの第２の表現からのデータを要求するための手段と、
前記第１の表現の前記データを要求するより前に前記第１の表現の初期化セグメントを要求するための手段とを備え、
前記第２の表現からの前記データを要求するための前記手段が、前記第２の表現の初期化セグメントを要求することなしに前記第２の表現からの前記データを要求するための手段を備える、装置。
【請求項１５】
ネットワーク状態の変化を検出するための手段と、
前記ネットワーク状態の前記変化に基づいて、前記第１の表現から前記第２のネットワーク表現に切り替えることを決定するための手段とをさらに備える、請求項１４に記載の装置。
【請求項１６】
前記第１の表現と前記第２の表現とが時間的に整合されているかどうかを示す情報を受信するための手段と、
前記情報に基づいて前記第２の表現のランダムアクセスポイントを選択するための手段とをさらに備える、請求項１４に記載の装置。
【請求項１７】
ビデオデータを受信する装置であって、
ビデオシーケンスの第１の表現と前記ビデオシーケンスの第２の表現との間で切り替えるための遅延を示す遅延値を受信するための手段と、
ストリーミングネットワークプロトコルに従ってビデオシーケンスの前記第１の表現からのデータを要求するための手段と、
前記第１の表現から前記第２の表現に切り替えることを決定したことに応答して、前記遅延値に基づいて前記第１の表現からのあるデータ量をバッファするための手段と、
前記第１の表現からの前記データ量をバッファした後に、前記ストリーミングネットワークプロトコルに従って前記ビデオシーケンスの第２の表現からのデータを要求するための手段と、
前記第１の表現と前記第２の表現とが時間的に整合されているかどうかを示す情報を受信するための手段と、
前記情報に基づいて前記第２の表現のランダムアクセスポイントを選択するための手段とを備え、
前記第１の表現と前記第２の表現とが時間的に整合されているとき、前記ランダムアクセスポイントを選択するための前記手段が、
前記第１の表現の前記バッファされたデータのサンプルのプレゼンテーション時間値の後にくる最も早いプレゼンテーション時間値を有する前記第１の表現の第１のランダムアクセスポイントの位置を特定するための手段と、
前記第１のランダムアクセスポイントと同じ前記プレゼンテーション時間値を有する前記第２の表現の第２のランダムアクセスポイントを選択するための手段とを備え、
前記第２の表現からの前記データを要求するための前記手段が、前記第２のランダムアクセスポイントを備える、前記第２の表現のフラグメントを要求するための手段を備える、装置。
【請求項１８】
ビデオデータを受信する装置であって、
ビデオシーケンスの第１の表現と前記ビデオシーケンスの第２の表現との間で切り替えるための遅延を示す遅延値を受信するための手段と、
ストリーミングネットワークプロトコルに従ってビデオシーケンスの前記第１の表現からのデータを要求するための手段と、
前記第１の表現から前記第２の表現に切り替えることを決定したことに応答して、前記遅延値に基づいて前記第１の表現からのあるデータ量をバッファするための手段と、
前記第１の表現からの前記データ量をバッファした後に、前記ストリーミングネットワークプロトコルに従って前記ビデオシーケンスの第２の表現からのデータを要求するための手段と、
前記第１の表現と前記第２の表現とが時間的に整合されているかどうかを示す情報を受信するための手段と、
前記情報に基づいて前記第２の表現のランダムアクセスポイントを選択するための手段とを備え、
前記第１の表現と前記第２の表現とが時間的に整合されていないとき、
前記ランダムアクセスポイントを選択するための前記手段が、前記第１の表現の前記バッファされたデータの少なくとも１つのサンプルのプレゼンテーション時間値よりも後のプレゼンテーション時間値を有する前記第２の表現のランダムアクセスポイントを選択するための手段を備え、
前記量のデータをバッファするための前記手段が、前記選択されたランダムアクセスポイントの前記プレゼンテーション時間値よりも前の開始プレゼンテーション時間値と、前記選択されたランダムアクセスポイントの前記プレゼンテーション時間値よりも後の終了プレゼンテーション時間値とを有する第１のフラグメントまでの前記第１の表現のデータを要求し、記憶するための手段を備え、前記第２の表現からのデータを要求するための前記手段が、前記選択されたランダムアクセスポイントを備える前記第２の表現の第２のフラグメントにおいて開始する前記第２の表現のデータを要求するための手段を備える、装置。
【請求項１９】
前記第１のフラグメントのピクチャグループに達するまでの前記第１の表現のデータを復号するための手段と、
前記第１のフラグメントの前記ピクチャグループに達した後に、前記選択されたランダムアクセスポイントにおいて開始する前記第２の表現の前記データを復号するための手段とをさらに備え、前記ピクチャグループが、前記選択されたランダムアクセスポイントのプレゼンテーション時間値よりも前の開始プレゼンテーション時間値と、前記選択されたランダムアクセスポイントの前記プレゼンテーション時間値よりも後の終了プレゼンテーション時間値とを有する第１のピクチャを備える、請求項１８に記載の装置。
【請求項２０】
実行されると、
ビデオシーケンスの第１の表現と前記ビデオシーケンスの第２の表現との間で切り替えるための遅延を示す遅延値を受信することと、
ストリーミングネットワークプロトコルに従ってビデオシーケンスの前記第１の表現からのデータを要求することと、
前記第１の表現から前記第２の表現に切り替えることを決定したことに応答して、前記遅延値に基づいて前記第１の表現からのある量のデータをバッファすることと、
前記第１の表現からの前記データ量をバッファした後に、前記ストリーミングネットワークプロトコルに従って前記ビデオシーケンスの第２の表現からのデータを要求すること、前記第２の表現からの前記データを要求することが、前記第２の表現の初期化セグメントを要求することなしに前記第２の表現からの前記データを要求することを備える、
前記第１の表現の前記データを要求するより前に、前記第１の表現の初期化セグメントを要求することと、
を、ビデオデータを受信するためのデバイスのプロセッサに行わせる命令を記憶するコンピュータ可読記憶媒体。
【請求項２１】
ネットワーク状態の変化を検出することと、
前記ネットワーク状態の前記変化に基づいて、前記第１の表現から前記第２のネットワーク表現に切り替えることを決定することとを前記プロセッサに行わせる命令をさらに備える、請求項２０に記載のコンピュータ可読記憶媒体。
【請求項２２】
前記第１の表現と前記第２の表現とが時間的に整合されているかどうかを示す情報を受信することと、
前記情報に基づいて前記第２の表現のランダムアクセスポイントを選択することとを前記プロセッサに行わせる命令をさらに備える、請求項２０に記載のコンピュータ可読記憶媒体。
【請求項２３】
実行されると、
ビデオシーケンスの第１の表現と前記ビデオシーケンスの第２の表現との間で切り替えるための遅延を示す遅延値を受信することと、
ストリーミングネットワークプロトコルに従ってビデオシーケンスの前記第１の表現からのデータを要求することと、
前記第１の表現から前記第２の表現に切り替えることを決定したことに応答して、前記遅延値に基づいて前記第１の表現からのある量のデータをバッファすることと、
前記第１の表現からの前記データ量をバッファした後に、前記ストリーミングネットワークプロトコルに従って前記ビデオシーケンスの第２の表現からのデータを要求すること、
前記第１の表現と前記第２の表現とが時間的に整合されているかどうかを示す情報を受信することと、
前記情報に基づいて前記第２の表現のランダムアクセスポイントを選択することと、
を、ビデオデータを受信するためのデバイスのプロセッサに行わせる命令を記憶し、
前記第１の表現と前記第２の表現とが時間的に整合されているとき、前記ランダムアクセスポイントを選択することを前記プロセッサに行わせる命令が、
前記第１の表現の前記バッファされたデータのサンプルのプレゼンテーション時間値に続く最も早いプレゼンテーション時間値を有する前記第１の表現の第１のランダムアクセスポイントの位置を特定することと、
前記第１のランダムアクセスポイントと同じ前記プレゼンテーション時間値を有する前記第２の表現の第２のランダムアクセスポイントを選択することとを備え、
前記第２の表現からの前記データを要求することが、前記第２のランダムアクセスポイントを備える前記第２の表現のフラグメントを要求することを備える、コンピュータ可読記憶媒体。
【請求項２４】
実行されると、
ビデオシーケンスの第１の表現と前記ビデオシーケンスの第２の表現との間で切り替えるための遅延を示す遅延値を受信することと、
ストリーミングネットワークプロトコルに従ってビデオシーケンスの前記第１の表現からのデータを要求することと、
前記第１の表現から前記第２の表現に切り替えることを決定したことに応答して、前記遅延値に基づいて前記第１の表現からのある量のデータをバッファすることと、
前記第１の表現からの前記データ量をバッファした後に、前記ストリーミングネットワークプロトコルに従って前記ビデオシーケンスの第２の表現からのデータを要求すること、
前記第１の表現と前記第２の表現とが時間的に整合されているかどうかを示す情報を受信することと、
前記情報に基づいて前記第２の表現のランダムアクセスポイントを選択することと、
を、ビデオデータを受信するためのデバイスのプロセッサに行わせる命令を記憶し、
前記第１の表現と前記第２の表現とが時間的に整合されていないとき、
前記第１の表現の前記バッファされたデータの少なくとも１つのサンプルのプレゼンテーション時間値よりも後のプレゼンテーション時間値を有する前記第２の表現のランダムアクセスポイントを選択することを前記プロセッサに行わせる命令をさらに備え、
前記量のデータをバッファすることを前記プロセッサに行わせる前記命令が、前記選択されたランダムアクセスポイントの前記プレゼンテーション時間値よりも前の開始プレゼンテーション時間値と、前記選択されたランダムアクセスポイントの前記プレゼンテーション時間値よりも後の終了プレゼンテーション時間値とを有する第１のフラグメントまでの前記第１の表現のデータを要求し、記憶することを前記プロセッサに行わせる前記命令を備え、
前記第２の表現からのデータを要求することを前記プロセッサに行わせる前記命令が、前記選択されたランダムアクセスポイントを備える前記第２の表現の第２のフラグメントにおいて開始する前記第２の表現のデータを要求することを前記プロセッサに行わせる命令を備える、コンピュータ可読記憶媒体。
【請求項２５】
前記第１のフラグメントのピクチャグループに達するまでの前記第１の表現のデータを復号することと、
前記第１のフラグメントの前記ピクチャグループに達した後に、前記選択されたランダムアクセスポイントにおいて開始する前記第２の表現の前記データを復号することとを前記プロセッサに行わせる命令をさらに備え、前記ピクチャグループが、前記選択されたランダムアクセスポイントのプレゼンテーション時間値よりも前の開始プレゼンテーション時間値と、前記選択されたランダムアクセスポイントの前記プレゼンテーション時間値よりも後の終了プレゼンテーション時間値とを有する第１のピクチャを備える、請求項２４に記載のコンピュータ可読記憶媒体。